(57)【要約】【課題】本発明の課題は、情報をコード化したレーザ光を不審人物に照射することにより、正規入場者と不法侵入者を容易に判別できるレーザセキュリティシステムを提供することにある。【解決手段】本発明は、セキュリティゾーンを撮像する監視カメラ１２と、監視カメラ１２で撮像した不審人物に情報をコード化したレーザ光を照射するレーザ送信器１１と、レーザ送信器１１から照射されたレーザ光を受光し、電気信号に変換するレーザ受光器１６，１７と、レーザ受光器１６，１７で変換された電気信号のコード情報をデータ加工する信号処理回路１９と、信号処理回路１９でデータ加工されたデータ信号を送信する無線送信器２０と、無線送信器２０から送信されたデータ信号を受信する無線受信器１３とを具備することを特徴とするものである。【選択図】　　図１
2004062296.tif 000002
【特許請求の範囲】
【請求項１】
セキュリティゾーンを撮像する監視カメラと、
前記監視カメラで撮像した不審人物に情報をコード化したレーザ光を照射するレーザ送信器と、
前記レーザ送信器から照射されたレーザ光を受光し、電気信号に変換するレーザ受光器と、
前記レーザ受光器で変換された電気信号のコード情報をデータ加工する信号処理回路と、
前記信号処理回路でデータ加工されたデータ信号を送信する無線送信器と、
前記無線送信器から送信されたデータ信号を受信する無線受信器と
を具備することを特徴とするレーザセキュリティシステム。
【発明の詳細な説明】
【０００１】
【発明の属する技術分野】
本発明は情報をコード化したレーザ光を用いて不法侵入者と正規入場者を判別するレーザセキュリティシステムに関する。
【０００２】
【従来の技術】
従来、磁気カード方式、近距離無線方式において、暗証番号、ＩＤカード等による照合により入室チェックをして不法侵入者を発見するセキュリティシステムが採用されていた。
【０００３】
また、赤外線センサ、ビームセンサ等を周囲に配置することにより、赤外線センサ、ビームセンサ等により不法侵入者を発見するセキュリティシステムが採用されていた。
【０００４】
さらに、監視カメラが撮像した画像により不法侵入者を発見するセキュリティシステムが採用されていた。
【０００５】
【発明が解決しようとする課題】
従来、建物等の入口が限られているセキュリティゾーンの場合、入室チェックを行うことは有用である。しかし、屋外等の広大な場所でセキュリティゾーンを設ける場合、例え外周を柵等で囲ったとしても不法に浸入される可能性がある。入室チェックの場合、このような不法な侵入者を防ぐことができない。また、不法浸入してしまった者を発見することが出来ない。
【０００６】
また、無線による識別の場合、電波は無指向性であるため、遠距離から特定の人物に対してセキュリティチェックを行うことは困難であり、近距離無線を使用することによる入室許可等にしか使用できない。
【０００７】
さらに、監視カメラによる画像認識の場合、正規入場者と不法侵入者との区別が難しく、また夜間等の暗い場所では認識が困難である。
【０００８】
本発明は上記の事情に鑑みてなされたもので、情報をコード化したレーザ光を不審人物に照射することにより、正規入場者と不法侵入者を容易に判別できるレーザセキュリティシステムを提供することを目的とする。
【０００９】
【課題を解決するための手段】
上記目的を達成するために本発明のレーザセキュリティシステムは、セキュリティゾーンを撮像する監視カメラと、前記監視カメラで撮像した不審人物に情報をコード化したレーザ光を照射するレーザ送信器と、前記レーザ送信器から照射されたレーザ光を受光し、電気信号に変換するレーザ受光器と、前記レーザ受光器で変換された電気信号のコード情報をデータ加工する信号処理回路と、前記信号処理回路でデータ加工されたデータ信号を送信する無線送信器と、前記無線送信器から送信されたデータ信号を受信する無線受信器とを具備することを特徴とするものである。
【００１０】
【発明の実施の形態】
以下図面を参照して本発明の実施の形態例を詳細に説明する。
【００１１】
図１は本発明の実施形態例を示す構成説明図である。図において、１１はセキュリティゾーンにレーザ光を照射するレーザ送信器、１２はセキュリティゾーンを撮像する監視カメラ、１３は無線受信器、１４は監視室に設置されるレーザ制御端末であり、このレーザ制御端末１４にはレーザ送信器１１および無線受信器１３が接続される。１５は監視室に設置されるカメラ画像モニタであり、このカメラ画像モニタ１５は監視カメラ１２に接続される。１６は正規入場者の前面に装着されるレーザ受光器、１７は正規入場者の後面に装着されるレーザ受光器、１８はインタフェース（Ｉ／Ｆ）回路、１９は信号処理回路、２０は無線送信器、２１は電源電池、２２は正規入場者に装着されるレーザ受信制御器であり、このレーザ受信制御器２２はインタフェース（Ｉ／Ｆ）回路１８、信号処理回路１９、無線送信器２０および電源電池２１より構成される。２３はレーザ受信装置であり、このレーザ受信装置２３はレーザ受光器１６，１７およびレーザ受信制御器２２より構成される。無線送信器２０は、携帯電話網を介した公衆回線または独自の周波数帯を有する無線網等を利用することができる。
【００１２】
すなわち、監視カメラ１２によりセキュリティゾーンを撮像し、カメラ画像モニタ１５で不審人物を発見したら、監視員がレーザ制御端末１４を操作してレーザ送信器１１から前記不審人物に、レーザ送信器番号、レーザ発射時刻情報等をコード化したレーザパルス光を照射する。
【００１３】
不審人物がレーザ受信装置２３を装着した正規入場者の場合には、正規入場者の前面または後面に装着されたレーザ受光器１６，１７で前記レーザ送信器１１から照射されたレーザパルス光を受光し、電気信号に変換してレーザ受信制御器２２に供給される。レーザ受信制御器２２ではレーザ受光器１６，１７からの電気信号がインタフェース（Ｉ／Ｆ）回路１８を介して信号処理回路１９に入力され、信号処理回路１９ではレーザ受信信号を処理してコード情報をデータ加工処置して無線送信器２０に送出する。この場合、前述のレーザ送信器番号、レーザ発射時刻情報に合わせてレーザ受信装置２３のＩＤコードを無線送信器２０に出力する。無線送信器２０は信号処理回路１９から入力されたデータ信号を無線受信器１３に送信する。無線受信器１３は無線送信器２０から送信されたデータ信号を受信し、監視室に設置されたレーザ制御端末１４に出力する。レーザ制御端末１４は無線受信器１３で受信したデータ信号からレーザ応答情報を検出して不審人物が正規入場者であると認識する。
【００１４】
一方、不審人物が不法侵入者の場合には、不法侵入者はレーザ受信装置２３を装着していない為、無線受信器１３はデータ信号を受信することはなく、レーザ制御端末１４はレーザ応答情報を検出せず、不審人物は不法侵入者であると認識する。
【００１５】
図２は本発明の実施形態例に係るレーザ受信装置の人員への装着例を示し、（ａ）は前面図、（ｂ）は後面図である。すなわち、レーザ受信装置２３のレーザ受光器１６は胴体前面に１個配置され、レーザ受信装置２３のレーザ受光器１７およびレーザ受信制御器２２は胴体の背面に配置される。
【００１６】
図３は本発明の実施形態例に係るレーザ送信器および監視カメラを示す構造図であり、（ａ）は全体の斜視図、（ｂ）は内部構造体、（ｃ）はレーザ送信器、（ｄ）は監視カメラである。すなわち、（ｃ）に示すレーザ送信器１１および（ｄ）に示す監視カメラ１２は、（ｂ）に示すように内部構造体として組立られた後、（ａ）に示すようにケース内に一体に組み込まれる。
【００１７】
図４及び図５は本発明の実施形態例に係るレーザセキュリティシステムの運用例を示す構成説明図であり、図４はレーザセキュリティゾーンを示し、図５は監視室を示す。図６は本発明の実施形態例に係るレーザセキュリティシステムの動作を示す運用フローチャートである。図において、４１はレーザセキュリティゾーンの周囲に設けられた柵、４２は柵４１の内側に沿って複数個配設された赤外線センサ、４３は正規入場者、４４は不法侵入者、４５は監視員、４６はレーザ応答情報表示部、４７は赤外線センサ情報表示部、４８はレーザパルス光である。
【００１８】
すなわち、柵４１で囲まれたレーザセキュリティゾーンに不審人物（正規入場者４３、不法侵入者４４）が入った場合には、赤外線センサ４２が動作して赤外線センサ情報表示部４７に不審人物が存在することが表示される（不審人物発見）。赤外線センサ情報表示部４７にレーザセキュリティゾーンに不審人物の存在が表示された場合、監視員４５はレーザ制御端末１４を操作して一体構成のレーザ送信器１１および監視カメラ１２を移動して監視カメラ１２で不審人物を撮像してカメラ画像モニタ１５に表示する。カメラ画像モニタ１５に不審人物が表示されたら、監視員４５はレーザ制御端末１４を操作してレーザ送信器１１から情報をコード化したレーザパルス光４８を不審人物に照射する（レーザ照射）。不審人物から無線受信器１３に応答がない場合にはレーザ応答情報表示部４６にデータ信号が表示されないため、不審人物が不法侵入者４４であると認識する。一方、不審人物から無線受信器１３に応答があり、不審人物からレーザ受信装置のＩＤコードを含むデータ信号が無線受信器１３に送信され、無線受信器１３で受信されたＩＤコードを含むデータ信号はレーザ応答情報表示部４６に表示される。レーザ応答情報表示部４６に表示されたＩＤコードを登録ＩＤコードと照合し、ＩＤコードが登録されていなければ不審人物が不法侵入者４４であると認識する。レーザ応答情報表示部４６に表示されたＩＤコードが登録されていれば不審人物が正規入場者４３であることを認識することができる。
【００１９】
本発明の実施形態例によれば以下のような効果がある。
【００２０】
▲１▼　入室チェックや赤外線センサでは発見できなかった不法侵入者を発見することができる。
【００２１】
▲２▼　監視カメラの画像モニタによる認識と違い、コード化したレーザパルス光を照射することにより、正規入場者と不法侵入者との区別を容易にできる。
【００２２】
▲３▼　無指向性の電波を用いる遠距離無線方式と違い、特定の人物に対して遠距離からレーザパルス光を照射できることから、不審人物にレーザパルス光を照射し、正規入場者か不法侵入者かの区別を可能とした。
【００２３】
▲４▼　レーザ応答情報を用いることにより暗闇での認識を可能とした。
【００２４】
【発明の効果】
以上述べたように本発明によれば、情報をコード化したレーザ光を不審人物に照射することにより、正規入場者と不法侵入者を容易に判別できるレーザセキュリティシステムを提供することができる。
【図面の簡単な説明】
【図１】本発明の実施形態例を示す構成説明図である。
【図２】本発明の実施形態例に係るレーザ受信装置の人員への装着例を示し、（ａ）は前面図、（ｂ）は後面図である。
【図３】本発明の実施形態例に係るレーザ送信器および監視カメラを示す構造図であり、（ａ）は全体の斜視図、（ｂ）は内部構造体、（ｃ）はレーザ送信器、（ｄ）は監視カメラである。
【図４】本発明の実施形態例に係るレーザセキュリティゾーンの運用例を示す構成説明図である。
【図５】本発明の実施形態例に係る監視室の運用例を示す構成説明図である。
【図６】本発明の実施形態例に係るレーザセキュリティシステムの動作を示す運用フローチャートである。
【符号の説明】
１１　レーザ送信器
１２　監視カメラ
１３　無線受信器
１４　レーザ制御端末
１５　カメラ画像モニタ
１６　レーザ受光器
１７　レーザ受光器
１８　インタフェース（Ｉ／Ｆ）回路
１９　信号処理回路
２０　無線送信器
２１　電源電池
２２　レーザ受信制御器
２３　レーザ受信装置
【図１】
2004062296.tif 000003
【図２】
2004062296.tif 000004
【図３】
2004062296.tif 000005
【図４】
2004062296.tif 000006
【図５】
2004062296.tif 000007
【図６】
2004062296.tif 000008